Podtech/llm-jp-corpus-v4-ja_patent huggingface dataset:
(57)【要約】      （修正有）【課題】レインフード本体に発泡スチロールを取り付け、視界と風通しを良くし、安全なレインフードを提供する。【解決手段】レインフード本体１の内側に２本のテープ状布２にて挟んで付けた発泡スチロール３を取り付け、風や音を入れる開口部４を設け、顔に密着して装着するため止め具と面ファスナー５を設け、フードの装着を安定させるためフード内側に長めの発泡スチロール６とゴムひも７を設けた。フード後部の開口部９により風を抜けさせ、開口部９の表側に下部を開口させた開口部カバーを取り付け、開口部からの雨の進入を防ぎ、発泡スチロール３により出来た厚みの上に透明プラスチック製鍔８を取り付け視界を良くする。【選択図】図１
0003150797.tif 000002
【実用新案登録請求の範囲】
【請求項１】
視界、風通し良好自転車用レインフードにおいて
１．肩までのフードを作り
２．フード前面の内側に、円筒形の発泡スチロールを布を用いて複数取り付け厚みを作り
３．フード側面の内側には、長めの円筒形発泡スチロールを布を用いて横向きに取り付け
４．左右の後端をゴムひもでつなぎ、ゴムひも中央をフード後部中央に取り付け
５．フードの後部中央に縦に開口部を設け
６．上記開口部の外側に開口部カバーを下方を開口させて取り付け
７．顎の位置に、留め具と面ファスナーを設け
８．フード前方上側に透明のプラスチック板を取り付ける
以上の構成からなるレインフード。
【考案の詳細な説明】
【技術分野】
【０００１】  本考案は肩部分までのレインフードを作り、フードの前面内側に、風や音を通すため発泡スチロールにて厚みを作り、フードの後中央に風通し用開口部を設け、顎部に止め具と面ファスナーを設け、透明プラスチック製の鍔をフードの厚みの上側に取り付け、フード側面に装着安定のための発泡スチロールとゴムひもを取り付けたレインフードに関するものである。
【背景技術】
【０００２】  従来、この種の物は、素材は各種あるが顔に密着させて被るフードでは、耳が塞がり外部の音が聞こえず危険であり、顔との間にゆとりのあるフードでは、左右に顔を動かすとフードの中で顔だけが動くため、視界がフードに遮られ危険である。
【考案の開示】
【考案が解決しようとする課題】
【０００３】  レインフードに厚みを持たせ、一部に開口部を設け風を通すことによって、フードを密着させて被る際の音や視界を良好にしようとするものである。
【課題を解決するための手段】
【０００４】  本考案は、フードに厚みを持たせるため、フード前面内側に円筒形の発泡スチロールを複数取り付け一部の間隔を広げ風通し用開口部を設けた。フードの後中央にも風通し用開口部を設けた。長めの円筒形発泡スチロールをフード内側側面に取り付け、頭部への装着を安定させた。顔に密着させて被るための留め具と面ファスナーを取り付けた。視界と被り心地をよくするため、フードの厚みの上に透明プラスチック製の鍔を取り付けた。
【考案の効果】
【０００５】  発泡スチロール使用のため軽く、フードの前方に設けた開口部により、外部の音がよく聞こえ安全であり、厚みのあるフードを顔にしっかり密着させて被ることで、顔とフードが一体となって動くため視界が遮られず安全である。
【考案を実施するための最良の形態】
【０００６】  頭部後中央に縦に開口部を設けた肩までのフードを作る。この開口部の外側に下方を開口させて開口部カバーを取り付ける。テープ状布２本で、布で覆った円筒形の発泡スチロール複数を挟むように付け内側と外側の付ける間隔を異にしアーチ状にする。
耳の前方は左右１箇所ずつを間隔を開けて付け、風入れの開口部を設ける。
フード前面内側に２本のテープ状布にてアーチ状にした発泡スチロールを取り付け、その上側に透明プラスチック製の鍔を取り付ける。顎の近くでテープ状布２本を１本に縫い合わせ左右に留め具と面ファスナーを付ける。布で覆った長めの円筒形の発泡スチロールをフードの側面内側に左右１本ずつ横に取り付け、２本の後端をゴムひもでつなぎ、ゴムひも中央をフードの後中央に縫いつける。
【実施例】
【０００７】  以下、添付図面に従って一実施例を説明する。
１は防水加工生地等、適宜素材にて形成されたレインフード本体。２は円筒形発泡スチロールを取り付けるためのテープ状布。３は２のテープ状布に取り付けフード前面内側に取り付ける、布で覆った円筒形発泡スチロール。４は耳前方の風入れ開口部。５はフードを密着して着用するための止め具と面ファスナー。６はフード着用を安定させるための、ゴムひもを取り付けた長めの円筒形発泡スチロール。７は中央を本体１の内側後中央に取り付けたゴムひも。８は本体１の前面上部に取り付けた透明プラスチック製の鍔。９は本体１の後中央に設けた風を通すための開口部。１０は本体１の後開口部の外側に被せた下方を開口させたカバー。
【産業上の利用可能性】
【０００８】  本考案の一実施例は上述のごとき構成からなるものであるから、フード無しのどの雨具とも組み合わせて使用でき軽く、畳むことが出来るため携帯に便利である。
【図面の簡単な説明】
【０００９】
【図１】本考案の視界、風通し良好自転車用レインフードの一実施例を示す正面図である。
【図２】本レインフードの透視側面図である。
【符号の説明】
【００１０】  １  レインフード本体
２  発泡スチロールを本体に付けているテープ状布
３  発泡スチロール
４  風通し開口部
５  留め具、面ファスナー
６  フード安定装着用発泡スチロール
７  フード安定装着用ゴムひも
８  透明プラスチック製鍔
９  フード後方風通し開口部
１０  フード後方風通し開口部カバー
【図１】
0003150797.tif 000003
【図２】
0003150797.tif 000004
(57)【要約】【課題】便利に使用できる、粘着材を塗らずに直接複合可能な膜を提供する。【解決手段】本考案は粘着材を塗らずに包装用の紙又はビニールに直接複合可能な膜に関するものである。次性能層、芯層とコーティング性能層からとなり、芯層は次性能層とコーティング性能層の間にあり、次性能層の材料は主にポリプロピレンであり、芯層の材料は改質ポリエチレンであり、コーティング性能層の材料は接着剤であり、コーティング性能層は芯層の上に加熱連結されていることを特徴とする。本考案の特徴は構造上の簡単さ、使用上の利便さである。【選択図】図１
0003150788.tif 000002
【実用新案登録請求の範囲】
【請求項１】
次性能層、芯層とコーティング性能層からなり、芯層は次性能層とコーティング性能層の間にあり、次性能層の材料は主にポリプロピレンであり、芯層の材料は改質ポリエチレンであり、コーティング性能層の材料が接着剤であり、コーティング性能層が芯層の上に加熱連結されていることを特徴とする、粘着材を塗らずに直接複合可能な膜。
【考案の詳細な説明】
【技術分野】
【０００１】
本考案は、粘着材を塗らずに包装用の紙又はビニールに直接複合可能な膜に関する。
【背景技術】
【０００２】
保護、装飾等を目的として、包装用の紙又はビニールに膜を複合することがある。このような場合、通常、紙又はビニールに粘着材を塗り、その上に複合しようとする膜を重ね、更に加熱して、膜を粘着させている。
【０００３】
しかし、技術が複雑で、生産設備への要求が高く、製品のコストが高いなどの不足点がある。
【考案の概要】
【考案が解決しようとする課題】
【０００４】
本考案の目的は、便利に使用できる、粘着材を塗らずに包装用の紙又はビニールに直接複合可能な膜を提供することである。
【課題を解決するための手段】
【０００５】
前記の目的を実現するために、本考案の粘着材を塗らずに直接複合可能な膜は、次性能層、芯層およびコーティング性能層からとなり、芯層は次性能層とコーティング性能層の間にあり、次性能層の材料は主にポリプロピレンであり、芯層の材料は改質ポリエチレンであり、コーティング性能層の材料が接着剤であり、コーティング性能層が芯層の上に加熱連結されていることを最も主要な特徴とする。なお、コーティング性能層は、本考案において主となる性能を担う層であり、次性能層は副次的な性能を担う層である。
【考案の効果】
【０００６】
本考案の粘着材を塗らずに直接複合可能な膜は、芯層の上に予めコーティング性能層をコーティングしておくことにより、使用の際（複合の際）に粘着材を塗らなくても、直接にコーティング性能層と包装用の紙又はビニールとを加熱連結して一体とすることができる。このような構造により、使い易く、しかも構造が簡単である。
【図面の簡単な説明】
【０００７】
【図１】本考案の構造を示す説明図である。
【考案を実施するための形態】
【０００８】
図１に示すように、粘着材を塗らずに直接複合可能な膜は、次性能層1、芯層2とコーティング性能層3からなり、芯層2は次性能層１とコーティング性能層3の間にあり、次性能層1の材料は主にポリプロピレンであり、芯層2の材料は改質ポリエチレンであり、コーティング性能層3の材料が接着剤であり、コーティング性能層3が芯層2の上に加熱連結され、次性能層1と芯層2が加熱連結される。
【０００９】
本考案の粘着材を塗らずに直接複合可能な膜を包装用の紙又はビニールに複合するには、このようにして一体形成された膜を、膜のコーティング性能層3と紙又はビニールとが接するように重ね、温圧（加熱及び加圧）するだけでよい。
【００１０】
次性能層1は膜の外観を成し、ポリプロピレンの中に添加剤を添加することにより膜の外観が変えられる（添加量はポリプロピレン質量の0〜3%、具体的な添加剤は必要に応じて決定する。例えば、顔料を添加するなど。）。例えば、透明又は不透明にすることも可能である。次性能層1は、生産した本考案の膜を巻き取って保存する際や、使用のために巻き戻す際に、次性能層1とコーティング性能層3が粘着するのを防止する役割も果たす。
【００１１】
芯層２は保持体の役割を担う。
【００１２】
コーティング性能層3は包装用の紙又はビニールと加熱によって連結する役割を果たし、加熱連結の温度は85〜120℃である。
【００１３】
前記の接着剤は改質EVA（エチレン−酢酸ビニル共重合体樹脂）接着剤であることが好ましい。
【符号の説明】
【００１４】
１・・・次性能層
２・・・芯層
３・・・コーティング性能層
【図１】
0003150788.tif 000003
【手続補正書】
【提出日】平成21年3月25日(2009.3.25)
【手続補正２】
【補正対象書類名】明細書
【補正対象項目名】０００５
【補正方法】変更
【補正の内容】
【０００５】
前記の目的を実現するために、本考案の粘着材を塗らずに包装用の紙又はビニールに直接複合可能な膜は、粘着防止層、芯層およびコーティング性能層からなり、芯層は粘着防止層とコーティング性能層の間にあり、粘着防止層の材料は主にポリプロピレンであり、芯層の材料は改質ポリエチレンであり、コーティング性能層の材料が接着剤であり、コーティング性能層が芯層の上に加熱連結されていることを最も主要な特徴とする。なお、コーティング性能層は、本考案において主となる性能を担う層であり、粘着防止層は副次的な性能を担う層であるので、以下、明細書においては粘着防止層を次性能層と呼ぶことにする。
【手続補正３】
【補正対象書類名】実用新案登録請求の範囲
【補正対象項目名】請求項１
【補正方法】変更
【補正の内容】
【請求項１】
粘着防止層、芯層とコーティング性能層からなり、芯層は粘着防止層とコーティング性能層の間にあり、粘着防止層の材料は主にポリプロピレンであり、芯層の材料は改質ポリエチレンであり、コーティング性能層の材料が接着剤であり、コーティング性能層が芯層の上に加熱連結されていることを特徴とする、粘着材を塗らずに包装用の紙又はビニールに直接複合可能な膜。
(57)【要約】      （修正有）【課題】パンツを脱がずに大小の用を済す事ができて、衛生的で洗浄機能付便座が使用できるパンツを提供する。【解決手段】ファスナーをパンツ中央手前下から後方ゴムバンド手前迄取り付けた事により解決した。寒い季節は冷たい洋式便座を温める為のヒーターを使わなくて済むので省エネにも成る。家族の中でもし尻等に怪我や皮膚病が有った時でも衛生的で安心して使用できる。外出先の洋式便器での使用時の違和感がなくなる。又知人宅での借用は和式トイレなら良いが、洋式トイレは借る方も借す方も気が重く借りにくいが、此のパンツだと借りやすく、マナー的に良い。ファスナーは尻のくぼみの所なので、どのような運動や体制でも違和感がなくて良い。【選択図】図４
0003150781.tif 000002
【実用新案登録請求の範囲】
【請求項１】
パンツの中央手前下から後方ゴムバンド手前迄ファスナーを取り付けた。
【請求項２】
洋式便座に肌が直接触れないので衛生的で良く、開口が大きく広く開く。
【考案の詳細な説明】
【技術分野】
【０００１】
本考案はパンツの中央で前下の方から、後方へファスナーを取り付た物で衛生とエコに関するものである。
【背景技術】
【０００２】
従来は用便を済ます時はパンツを脱がなくては用便を済す事が出きなかったが、此のパンツは脱ずにファスナを引きパンツを脱がずに用便ができる。パンツのファスナーが直接肌に付ないようにファスナー取付に内側と外側に折返しを付けた。便座と肌が直接触れなくした。
【０００３】
公共の便所や他人の家の便所等の、洋式便器の違和感をなくした。
従来のファスナ付パンツは素早く用便を済す事や、又冬季寒冷時に寒さにさらされる不便を解消する事を目的である。用便の時開部が小さくて洋式便器のヲシュレットが使えない。
【先行技術文献】
【特許文献】
【０００４】
【特許文献１】実用新案公開平５−５８９３号公報
【考案の概要】
【考案が解決しようとする課題】
【０００５】
一般家庭、ホテル旅館、病院、会社、工場、や色々な店、公共の場等での洋式便所での違和感が有るので便座をチリ紙等でふいたり、めんどうであるし、衛生的でない。
【課題を解決するための手段】
【０００６】
洋式便器で直接肌を便座に触れずに私用できるし寒い季節でも便座が冷たく感じない。
【考案の効果】
【０００７】
洋式便器で直接肌を便座に触れずに使用でき衛生的であり、水洗便器、ヲシュレットも使える。
寒い季節は冷たい洋式便座を温める為のヒーターを使わなくて済むので省エネにも成る。
家族の中でもし尻等に怪我や皮膚病が有った時でも衛生的で安心して使用できる。
外出先の洋式便器での使用時の違和感がなくなる。又知人宅での借用は和式トイレなら良いが、洋式トイレは借る方も借す方も気が重く借にくいが、此のパンツだと借やすく、マナー的に良い。
ファスナーは尻のくぼみの所なので、どのような運動や体制でも違和感がなくて良い。
【図面の簡単な説明】
【０００８】
【図１】男性用の正面図と背面図である。
【図２】女性用の正面図と背面図である。
【図３】断面図で（Ａ）は男性の小用のところのボタンの取付断面図、（Ｂ）は男性用、女性用、共にファスナーの取付断面図である。
【図４】参考図で背面から見た使用時に広げた時の形状である。
【図５】使用時の格好
【図６】使用時の格好
【考案を実施するための形態】
【０００９】
此のパンツは中央前下のファスナーを下の方へ引いてから後方から上のゴムバンドの手前迄引き上げてから、横へ両手でつまんで広げて使用する物である。
ファスナーを中央の前面下より後方のゴムバンドの手前迄取り付けたので開口部が大きく成り、使用後にチリ紙での後始末の時にパンツを汚したりしない。又開口部が大きく成る為にヲシュレットを使ってもパンツが濡れない。
【実施例１】
【００１０】
男性は小便の時は従来どうりで良いが男性の大の方や、女性の大や小の時は、前方下のファスナーのつまみを引き下げて、後方の下からファスナーのつまみをゴムバンドの手前迄引き上げて、両端を軽くつまんで横の方へ引いて広げて尻を出してから洋式便座に座る。女性は此の状態で用を済すが、男性は前のだいじな物を軽く押し下げて尿が前方に飛び出さないのとパンツを濡かさない為に此の状態で用を済す。
【実施例２】
【００１１】
図４の参考図のように使用する時は尻は出るが、便座には直接肌は触れない。
【産業上の利用可能性】
【００１２】
衛生的に又ヲシュレットしようの為の便利さに重点を置き手軽さを計ったパンツの提供及び普及。
【符号の説明】
【００１３】
１  ボタン
２  ファスナー
【図１】
0003150781.tif 000003
【図２】
0003150781.tif 000004
【図３】
0003150781.tif 000005
【図４】
0003150781.tif 000006
【図５】
0003150781.tif 000007
【図６】
0003150781.tif 000008
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
パンツの中央手前下から股下を通って、後方ゴムバンド手前に達するファスナーを取り付けたことを特徴とする衛生エコパンツ。
(57)【要約】      （修正有）【課題】一度に外側と内側の歯を効率良く確実に磨くことが出来、かつ、適度な力で磨くことを可能とする歯ブラシを提供する。【解決手段】ダブル歯ブラシは、１本の柄棒３に植毛板２及び植毛１を各々ダブル構造とし、互いに向かい合うよう接触させる。そのダブル植毛の間に歯を入れ、柄棒を左右、上下に動かすことで、外側と内側の歯を同時に磨くことを可能とした。さらにダブル植毛の間隔は一定に保たれており、必要以上に手に力が入ってしまうことなく、適度な力で磨くことが出来かつ確実に磨くことが出来る。【選択図】図１
0003150786.tif 000002
【実用新案登録請求の範囲】
【請求項１】
本考案の歯ブラシは、１本の柄棒に植毛板及び植毛を各々ダブル構造とし、互いに向かい合うよう接触させた歯ブラシ
【考案の詳細な説明】
【技術分野】
【０００１】本考案は、歯ブラシの改良に関するものであり、更に詳しくは、歯の外側と内側を同時に磨く為の歯ブラシに関するものである。
【背景技術】
【０００２】従来の歯ブラシは、通常１つの植毛及び植毛板からなるものが知られている。歯磨きする際、外側と内側の歯を各々歯及び歯茎にあてて磨いていた。また、歯磨きする際、必要以上に手に力が入ってしまい、歯のエナメル質を削ってしまうという問題点があった。
【先行技術文献】
【特許文献】
【０００３】なお、本出願人は、上記不具合を解消しうる歯ブラシについて調査したが、関連する先行技術文献は発見出来なかった。
【考案の概要】
【考案が解決しようとする課題】
【０００４】従来の歯ブラシは、通常１つの植毛及び植毛板からなり、歯磨きする際、外側と内側の歯を各々歯及び歯茎にあてて磨いており、効率的ではなかった。また、歯磨きする際、必要以上に手に力が入ってしまい、歯のエナメル質を削ってしまうという問題点があった。そこで本考案は、一度に外側と内側の歯を効率良く、確実に磨くことが出来、かつ、適度な力で磨くことを可能とする歯ブラシの提供を課題とする。
【課題を解決するための手段】
【０００５】上記課題を解決するため、本考案の歯ブラシは、植毛板及び植毛を各々ダブル構造とし、互いに向かい合うよう接触させた。【０００６】そのダブル植毛の間に歯を入れ、柄棒を左右、上下に動かすことで、外側と内側の歯を同時に磨くことを可能とした。【０００７】さらにダブル植毛の間隔は一定に保たれており、必要以上に手に力が入ってしまうことなく、適度な力で磨くことが出来、かつ確実に磨くことが出来る構造となっていることを特徴とする。
【考案の効果】
【０００８】請求項１記載の本考案に係る歯ブラシによれば、１本の柄棒に植毛板及び植毛を各々ダブル構造とし、互いに向かい合うよう接触させることにより、そのダブル植毛の間に歯を入れ、柄棒を左右、上下に動かすことで、外側と内側の歯を同時に磨くことを可能とした。【０００９】さらにダブル植毛の間隔は一定に保たれており、必要以上に手に力が入ってしまうことなく、適度な力で磨くことが出来、かつ確実に磨くことが出来る。
【図面の簡単な説明】
【００１０】
【図１】本考案のダブル歯ブラシの斜視図である。
【考案を実施するための形態】
【００１１】ダブル歯ブラシは、図１に示すように１本の柄棒３に植毛板２及び植毛１を各々ダブル構造とし、互いに向かい合うよう接触させる。
【実施例】
【００１２】以下添付図面に従って一実施例を説明する。ダブル歯ブラシは、図１に示すように１本の柄棒３に植毛板２及び植毛１を各々ダブル構造とし、互いに向かい合うよう接触させる。そのダブル植毛の間に歯を入れ、柄棒を左右、上下に動かすことで、外側と内側の歯を同時に磨くことを可能とした。さらにダブル植毛の間隔は一定に保たれており、必要以上に手に力が入ってしまうことなく、適度な力で磨くことが出来、かつ確実に磨くことが出来る構造となっていることを特徴とする。
【符号の説明】
【００１３】１  植毛
２  植毛板
３  柄棒
【図１】
0003150786.tif 000003
(57)【要約】【課題】ＬＥＤと光拡散シートを使用する照明器具を提供する【解決手段】模様を有するシート（２）の内側に光拡散シート（３）を重ねあわせて複合シート（４）としこの複合シート（４）を照明器具の照明面とし光源としてチップＬＥＤ（５）を用いたことを特徴とする間接照明器具（１）【選択図】図５
0003150787.tif 000002
【実用新案登録請求の範囲】
【請求項１】
模様を有するシート（２）の内側に光拡散シート（３）を重ねあわせて複合シート（４）としこの複合シート（４）を照明器具の照明面とし光源としてチップＬＥＤ（５）を用いたことを、特徴とする間接照明器具（１）
【考案の詳細な説明】
【技術分野】
【０００１】本考案は光拡散シートとＬＥＤを使用した、間接照明器具である。
【背景技術】
【０００２】従来白熱灯蛍光灯などを用いた直接照明があった、間接照明としては行灯や提灯などが昔からあるが光源はやはり白熱灯や蛍光灯であった。
【考案の概要】
【考案が解決しようとする課題】
【０００３】白熱球を用いたものは内部に熱がこもり熱くなるなどの問題があった、また白熱灯や蛍光灯では、電気代がかさみ省エネが求められていた。
省エネのためのＬＥＤを光源として用いた提案があるが、なをいっそうの省エネが求められている。
【課題を解決するための手段】
【０００４】本考案の間接照明器具（１）は模様を有するシート（２）の内側に光拡散シート（３）を重ねあわせて複合シート（４）としこの複合シート（４）を照明器具の照明面とし光源としてチップＬＥＤ（５）を用いたことを特徴とする．【０００５】本考案で用いる模様を有するシート（２）としては例えば和紙に絵を描いたもの、和紙に形状のある例えばモミジなとを抄きこんだもの、繊機で用いる紋紙などが挙られる．
本考案で用いる光拡散シート（３）としては片面が粒面にされている、半透明シートをいい、液晶表示板に用いられているシートがより好適である。
本考案では上記模様を有するシート（２）と上記光拡散シート（３）とを重ねあわせて複合シート（４）とする。
複合シート（４）の作り方としては全面接着剤等ではり合せても良いが、周囲のみを接着する方が好ましい。
この複合シート（４）は照明器具の照明面として用いる。
角筒形の場合は周囲四面と天井面の五面、丸筒形の場合は周囲全面と天井面をこの複合シートで作る。
光源としてはチップＬＥＤを用いる。
六連型や十二連型のチップＬＥＤが好ましい。
光電源を置く位置としては、照明器具の下方又は底部が好ましい．
底部に置いても、光拡散シートの効果により照明面の下方も上方も天井面も同じ様な照度が得られるものです。
【考案の効果】
【０００６】光拡散シートを使用して光源をチップＬＥＤを用いるのですべての照明面の個所から均一な照明を得られまた模様が浮び上がり幻妙な効果を生じる、またチップＬＥＤを用いているので電力消費が非常に少ない上構造上作り易くコストも安く出来る
長時間使用しても、白熱灯のような熱くなったり内部に熱が、こもったりしない．
【図面の簡単な説明】
【図１】本考案が用いる模様を有するシートを示す説明図
【図２】本考案が用いる光拡散シートの説明図
【図３】本考案の複合シートの説明図
【図４】本考案で用いるチップＬＥＤの説明図
【図５】本考案の実施の一例を示す説明図
【考案を実施するための形態】
【実施例】以下本考案の実施の一例と図面を用いて説明する。
模様を有するシートとして西陣織の繊機で用いる、紋紙を使用した（図１）。
厚さ３ｍ／ｍ
この紋紙の片面に光拡散シートとして株式会社ツジテン社製「ＰＣＭ３」光拡散シートを粗面側を表側にして周囲を接着剤で施こして重せあわせ複合シート（４）とした（図３）。
この複合シートたて３３ｃｍよこ１３ｃｍのものを４枚１３ｃｍ×１３ｃｍを１枚用意し木製の溝付き桟（６）を用いてつくった高さ３８ｃｍよこ１６ｃｍ、の照明器具の枠体にこの複合シート（４）を側面に４枚と天井１枚を桟の溝を利用してはめこんだ。
底面はアルミ板で作った。この底面、内部上部に６連チップＬＥＤ（５）を２本並べて水平におき、ここからリード線にてコンセントにつないだ（図５）。
こうして得た間接照明器具（１）は照明を入れたときの紋紙の模様が浮き出て、おちついた雰囲気を、又紋様によっては、日本調に洋風にも合うのでは、ないかと思われる。
図５の（ロ）は本考案によって丸筒型の照明器具を得た図を示す。
【産業上の利用の可能性】
ムードを重んじる和室、茶室  喫茶店  店の照明と有効である。
【符号の説明】１．照明器具
２．模様の有するシート
３．光拡散シート
４．複合シート
５．チップＬＥＤ
６．桟
【図１】
0003150787.tif 000003
【図２】
0003150787.tif 000004
【図３】
0003150787.tif 000005
【図４】
0003150787.tif 000006
【図５】
0003150787.tif 000007
(57)【要約】      （修正有）【課題】シークワーサーの果汁を絞った後の残渣及び葉の有効利用を図り、簡易な方法と低コストで製造でき、柑橘系の特徴を生かした芳香と緑系の色調を持った、食味豊かな調味塩を容器に入れて提供する。【解決手段】シークワーサーの果実を搾汁した後の絞り残渣を乾燥させ、粉砕して得られるシークワーサー果実部乾燥粉砕粒、及び、果実収穫後に剪定、廃棄される葉の部分を乾燥後に粉砕して得られるシークワーサー葉部乾燥粉砕粒とを一般の食塩へ混合させて容器に入れる。【選択図】図１
0003150785.tif 000002
【実用新案登録請求の範囲】
【請求項１】
シークワーサーの果実部を乾燥後に粉砕したシークワーサーの果実部粉砕粒と、シークワーサーの葉を乾燥後に粉砕したシークワーサーの葉部乾燥粉砕粒とを、一般食塩と混合してなることを特徴とするシークワーサー入り調味塩。
【請求項２】
シークワーサーの葉はシークワーサーの果実部と同様に柑橘系の豊かな芳香を香りたたせる特徴を持っており、乾燥後、粉砕されたことによって、シークワーサーの特徴である緑系の色彩と柑橘系の香りをもつシークワーサー入り調味塩。
【考案の詳細な説明】
【技術分野】
【０００１】
本考案は、シークワーサー果実部と葉部を乾燥後、粉砕して、一般食塩と混合させて得られるシークワーサー入り調味塩に関する。
【背景技術】
【０００２】
シークワーサーは沖縄地方に生育する柑橘類の一種で、独特の強い酸味と芳醇な香があり、その果汁が主に飲料用として利用されているが、他の用途への開発がなされていない。
【先行技術文献】
【特許文献】
【０００３】
【特許文献１】特開２００５−２０４５８６
【考案の概要】
【考案が解決しようとする課題】
【０００４】
そこで、本考案は、シークワーサーの新しい用途を開発しようとするものであり、特に従来利用されることなく廃棄処分にされているシークワーサーの果汁を絞った後の残渣及び、同様にこれまで着目されることなく、果実の収穫後に剪定、廃棄されているシークワーサーの葉の有効利用を図ろうとするものであり、簡易な方法で低コストで製造でき、柑橘系の特徴を生かした芳香な香りと緑系の色調を持った、食味豊かな調味塩を提供することを目的とするものである。
【課題を解決するための手段】
【０００５】
本考案者は、上記課題を解決するために種々の試験を繰り返す過程で、現在利用されることなく廃棄されている、シークワーサーの果実を搾汁した後の絞り残渣を乾燥させ、粉砕して得られるシークワーサー果実部乾燥粉砕粒及び、同様に果実収穫後に剪定、廃棄される葉の部分を乾燥後に粉砕させ得られるシークワーサー葉部乾燥粉砕粒とを一般の食塩へ混合させることで、調味塩の分野への利用が全く考えられなかったシークワーサーの新しい利用方法として本考案に到達したものである。
【考案の効果】
【０００６】
以上のように、本考案によれば、従来利用されずに廃棄されていたシークワーサーの果汁を絞った後の残渣である果皮・果肉・種子及び、同様に果実の収穫後に樹木の剪定後に廃棄されていた葉の部分を簡単な方法で且つ低コストで、食味を増す柑橘系の風味、芳香が豊かで、シークワーサーの特徴を出す緑系の色彩が豊かな、シークワーサー入り調味塩を得ることができ、シークワーサーの新しい用途への有効利用を図ることができる。
【図面の簡単な説明】
【０００７】
【図１】図１は本考案の実施形態のシークワーサー入り調味塩を得るまでの課程を示したものであり、７及び８において、４，５，６が混合された状態である。
【考案を実施するための形態】
【０００８】
図１は本考案であるシークワーサー入り調味塩に係る図であり、一般食塩とシークワーサー残渣の乾燥粉砕粒及び、シークワーサーの葉の乾燥粉砕粒とを混合した実施形態である。本考案はこの実施の形態に限るものではない。  
本考案の実施の形態を図に基づき説明する。図１に示す本考案のシークワーサー入り調味塩は容器入りシークワーサー入り調味塩８の中で、一般食塩６と、シークワーサー残渣乾燥粉砕粒４と、シークワーサー葉乾燥粉砕粒５が混合した状態である。
【実施例】
【０００９】
シークワーサーの果実の乾燥粉砕粒
シークワーサー果実の乾燥粉砕粒はシークワーサー果実の搾汁後、残渣を乾燥した後に粉砕して得られたものである。
【００１０】
シークワーサーの葉の乾燥粉砕粒
シークワーサー葉の乾燥粉砕粒は、シークワーサーの葉を乾燥後に粉砕して得られたものである。
【００１１】
シークワーサー入り調味塩
シークワーサー果実の乾燥粉砕粒とシークワーサー葉の乾燥粉砕粒とを一般食塩へ混合させてシークワーサー入り調味塩を得ることができ、柑橘系の香り、風味が肉料理、焼き鳥、鍋料理、各種料理で味を引き立て、食味を増すことで好評を得た。
【産業上の利用可能性】
【００１２】
本考案のシークワーサー入り調味塩は、従来廃棄処分していたシークワーサー果実の搾汁後の残渣である果皮・果肉・種子及び、同様に果実の収穫後に枝とともに剪定し廃棄されるシークワーサーの葉を乾燥させて粉砕し、一般食塩と混合させて利用するもので、柑橘系のシークワーサーの特徴を生かした食味、風味、芳香が豊かで緑系の色調が料理の際の視覚に優しく、更に食塩に含有されるミネラル以外に、シークワーサーの果皮・種子に多く含まれるフラボノイド及び、ビタミンも補給される。
【図１】
0003150785.tif 000003
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
シークワーサーの果実部を乾燥後に粉砕したシークワーサーの果実部乾燥粉砕粒と、シークワーサーの葉を乾燥後に粉砕したシークワーサーの葉部乾燥粉砕粒とを、一般食塩と混合してなることを特徴とする、容器入りシークワーサー入り調味塩。
【請求項２】
シークワーサーの葉はシークワーサーの果実部と同様に柑橘系の豊かな芳香を香りたたせる特徴を持っており、乾燥後、粉砕されたことによって、シークワーサーの特徴である緑系の色彩と柑橘系の香りをもつ、請求項１記載の容器入りシークワーサー入り調味塩。
(57)【要約】      （修正有）【課題】携帯電話を利用するにあたり、不便と感じる部分をより使用し易くかつ安全に軽快に利用できるようにした携帯電話機の吸盤付ストラップを提供する。【解決手段】携帯ストラップに吸盤を設け、さらにこの吸盤に指をかける部分を設け、この吸盤を携帯電話機の裏面に、単数又は複数個、吸着させることを特徴とする。吸盤を使用し、携帯電話を手に固定する事によって、落とす心配も無く又、手が疲れにくくなる事によって、どのような場所で、いかなる姿勢でも長時間安心して利用する事ができる。【選択図】図１
0003150740.tif 000002
【実用新案登録請求の範囲】
【請求項１】
携帯電話を使用し易くする為に、この吸盤付きキーホルダーを携帯電話の裏面に吸着させ、吸盤の一部に指を入れる事により、携帯電話を手に固定して落とす事なく安全・安心に使用する。
【考案の詳細な説明】
【技術分野】
【０００１】本考案は携帯電話の使用時、吸盤を使って手から落ちにくく、使用し易くしたストラップに関するものである。
【背景技術】
【０００２】特にメール等を使用する場合、長時間急いで使用したい場合、乗り物（電車、バス等）の乗車時に、手に固定出来にくく、使用が難しかった。
【考案の開示】
【考案が解決しようとする課題】
【０００３】吸盤を使って携帯を手に固定し、動かなくして使用するので、非常に楽に使用出来るようになる。
【課題を解決するための手段】
【０００４】ストラップとして携帯電話に装着し、すぐに使用出来るようにし、押し付けるだけですぐ使用可能状態になっているので前述の問題は解決出来るようになっている。
【考案の効果】
【０００５】前述のように携帯電話は手に固定される為、場所、姿勢を問わないので、はるかに使用が楽になる。
【考案を実施するための最良の形態】
【０００６】ストラップとして装着するので出来るだけ小型かつ軽量にする為、パーツ一つ一つも最小にし、又、色、形体等を工夫し、使って楽しくなるようにする。
【実施例】
【０００７】
0003150740.tif 000003
【図１】
0003150740.tif 000004
【手続補正書】
【提出日】平成21年2月13日(2009.2.13)
【手続補正１】
【補正対象書類名】実用新案登録請求の範囲
【補正対象項目名】全文
【補正方法】変更
【補正の内容】
【実用新案登録請求の範囲】
【請求項１】
携帯ストラップに吸盤を設け、さらにこの吸盤に指をかける部分を設け、この吸盤を携帯電話機の裏面に、単数又は複数個、吸着させることを特徴とする、携帯電話機の吸盤付ストラップ。
【手続補正２】
【補正対象書類名】明細書
【補正対象項目名】全文
【補正方法】変更
【補正の内容】
【考案の詳細な説明】
【技術分野】
【０００１】本考案は携帯電話の使用時、吸盤を使って手から落ちにくく、使用し易くした携帯電話機用ストラップに関するものである。
【背景技術】
【０００２】特にメール等を使用する場合、長時間急いで使用したい場合、乗り物（電車、バス等）の乗車時に、手に固定出来にくく、使用が難しかった。
【考案の開示】
【考案が解決しようとする課題】
【０００３】吸盤を使って携帯を手に固定し、動かなくして使用するので、非常に楽に使用出来るようになる。
【課題を解決するための手段】
【０００４】ストラップとして携帯電話に装着し、すぐに使用出来るようにし、押し付けるだけですぐ使用可能状態になっているので前述の問題は解決出来るようになっている。
【考案の効果】
【０００５】前述のように携帯電話は手に固定される為、場所、姿勢を問わないので、はるかに使用が楽になる。
【考案を実施するための最良の形態】
【０００６】ストラップとして装着するので出来るだけ小型かつ軽量にする為、パーツ一つ一つも最小にし、又、色、形体等を工夫し、使って楽しくなるようにする。
【実施例】
【０００７】以下、添付図面に従って実施例を説明します。
図１は吸盤と吸盤を固定し、３の部品で上から押さえる事により指を固定する。
ａの位置に指がはめる。【０００８】図２は二つの吸盤を固定しない事により、使用者の指に合わせて吸盤を携帯電話機に固定することができる。ｂの位置に指をはめる。【０００９】図３は大きめの吸盤１個を指で挟み、携帯電話機と指を固定して使用する。
ｃとｄの位置に指を差し込む。
【図面の簡単な説明】
【００１０】
【図１】携帯電話機の裏面に２ヶの吸盤を３の部品にて一つに固定し、１本のストラップひもを付け、取り付けた図面である。
【図２】携帯電話機の裏面に２ヶの吸盤を一つに固定することなく、独立させ、それぞれにストラップひもを付け、取り付けた図面である。
【図３】携帯電話機の裏面に１ヶの少し大きめな吸盤に１本のストラップひもを付けた図面である。
【符号の説明】
【００１１】１、２、４、５、６      吸盤
３                      吸盤と吸盤を固定させる部分
ａ、ｂ、ｃ、ｄ          指の差し込み口
【手続補正３】
【補正対象書類名】図面
【補正対象項目名】全図
【補正方法】変更
【補正の内容】
【図１】
0003150740.tif 000005
【図２】
0003150740.tif 000006
【図３】
0003150740.tif 000007
(57)【要約】      （修正有）【課題】パチンコ球等を用いた遊具において、台を固定せず、携帯及び移動可能な台とする遊具を提供する。【解決手段】長方形の箱状の迷路盤の底部を縦１４等分割、横１０等分割し、その分割線に沿って、誘導壁の長さを変えたものを組合せて設置する。迷路盤本体を手で持ち、前後左右に傾斜させて二個の玉を同時に転がして遊ぶことができる。【選択図】図２
0003150732.tif 000002
【実用新案登録請求の範囲】
【請求項１】
誘導壁で迷路盤を作り、二個の玉を同時に目的のゴ−ルに入れる競技遊具。
【請求項２】
迷路盤本体を手で持ち、上下左右に傾斜させて二個の玉を移動させる遊具。
【考案の詳細な説明】
【考案の詳細な説明】
この実用新案は、迷路盤に二色の玉をそれぞれ１個づつスタ−トの位置に置き、迷路盤本体を手で持ち、前後左右に傾斜させて玉を移動させ、定められたゴ−ルにより早く到着させた方が勝ちとする遊具である。  現在出回っているパチンコ・スマ−トボ−ル等の遊具は、台が固定されており、玉を打ち出せば、後はあなた任せ玉任せで静観するのみである。ただ玉を打ち出す時に強弱の力加減をする位の参加しか出来ない。  本考案は台を固定する概念を排除し、携帯可能、移動可能な台とすることで全く違ったゲ−ム感覚が味わえるのである。  迷路盤本体を手で持ち、自分の意志で前後左右に傾斜させて二箇の玉を同時に転がせて、スタ−ト位置から決められたゴ−ルにより短時間で入れた方が勝ちとする競技遊具である。  進む方向が違う玉を、同一条件で操ることは大変であるが、玉の動きを確認しながら、迷路盤を操作することは、的確な判断・敏捷性・根気が必要となり健全な知育遊具として利用することが出来る。  これを図面により説明すると。  ［図１］は、迷路盤本体の斜視図である。大きさは用紙のＡ４版の大きさ。  １は、本体の側面である。２は本体の底部である。この底部には、３の要領で誘導壁を取り付ける。  なお全体の誘導壁は［図２］の平面図で示すように配置する。  ［図２］は、誘導壁による迷路盤の平面図である。  競技をする時は、４のスタ−ト位置に赤玉を置き、５のスタ−ト位置に黄玉を置き、迷路盤本体を手で持ち前後左右に傾斜させながら、４の赤玉を６のゴ−ルに入れ、同時に５の黄玉を７のゴ−ルに入れる遊具である。  複数で競技する時は、ゴ−ルするまでにかかった時間を競い、早くゴ−ルした方が勝ちとする。  ６・７のゴ−ルの位置には、入った玉が転び出ないように、凹を創る。なお使用する玉は、二色の色を付けたビ−ダマ・パチンコダマ等が使用対象の参考になる。
【図面の簡単な説明】
【図１】は本案の斜視図である。
【図２】は本案の平面図である。
【符号の説明】
１・・・・迷路盤本体側面  ２・・・・迷路盤本体底部  ３・・・・迷路を作る誘導壁              （図１・一部誘導壁の取り付け要領を示す）              （図２・全体の誘導壁の位置を示す）  ４・・・・赤玉のスタ−ト位置  ５・・・・黄玉のスタ−ト位置  ６・・・・赤玉のゴ−ル位置  ７・・・・黄玉のゴ−ル位置要約すると  パチンコ・スマ−トボ−ル等の台は固定されており、弾く玉はその後は勝手に動き自分はただ静観、傍観しているだけである。この玉の最後迄の動きをコントロ−ルすることで、新たな充実感が得られるのではないか。  この台を迷路盤本体とし、両手で持って自由に動かし、しかも２個の玉を色分けして、違ったスタ−ト位置から、それぞれ決められたゴ−ルにより早く入れることを競う知育遊具である。課題  パチンコ・スマ−トボ−ル等台を固定した概念から離脱し、台を動かしてしかも、携帯出来るものとすることが出来ないか？、と考えたのが本考案の迷路盤である。  材質はプラスチックを主体とし、誘導壁の設置を変えることによりその迷路の通過に難易度が生じ、初級・中級・上級用とすることも可能である。
【図１】
0003150732.tif 000003
【図２】
0003150732.tif 000004
【手続補正書】
【提出日】平成20年10月10日(2008.10.10)
【手続補正１】
【補正対象書類名】実用新案登録請求の範囲
【補正対象項目名】全文
【補正方法】変更
【補正の内容】
【実用新案登録請求の範囲】
【請求項１】
誘導壁及び迷路盤本体の材質は、プラスチック又は木材とする。
誘導壁は厚さ２ｍｍ、幅１０ｍｍのものを〔図１〕の３の要領で迷路盤本体に組み入れる。総ての誘導壁は〔図２〕の３の配置で組み込む。
誘導壁と誘導壁の間隔いわゆる迷路の幅は２０ｍｍ（ビ−ダマ使用の場合）とする。従って迷路盤本体の大きさは、縦３２５ｍｍ×横２４０ｍｍ×高さ２０ｍｍ程度とする長方形のものとする。
迷路盤は固定することなく、競技者が手で持って自由に動かすことが出来るものとする。競技者の意志で迷路盤を前後左右に傾斜させて、ビ−ダマを誘導して目的のゴ−ルに入れる。
【請求項２】
ビ−ダマは色違いのものを２個使用する。１個のビ−ダマでは単純で面白みが無い。２個のビ−ダマで、指定の場所からスタ−トし指定の場所にゴ−ルすることで、相反する動きが要求され複雑化し難しくなるので、競技の面白さが増してくる。
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
長方形（約縦３０７ｍｍ×横２１８ｍｍ×高さ１５ｍｍ）の箱状とし、その底部を縦１０等分割、横１４等分割し、その縦横の分割線に沿って誘導壁（約厚さ２ｍｍ×幅１０ｍｍ長さ○○ｍｍ）の長さを変えたものを組合せて設置し、幅２０ｍｍの迷路を有することを特徴とする競技遊具。
【手続補正書】
【提出日】平成21年2月25日(2009.2.25)
【手続補正１】
【補正対象書類名】実用新案登録請求の範囲
【補正対象項目名】全文
【補正方法】変更
【補正の内容】
【実用新案登録請求の範囲】
【請求項１】
約縦３０７ｍｍ×横２１８ｍｍ×高さ１５ｍｍの長方形の箱状とし、その底部を縦１４等分割、横１０等分割し、その縦横の分割線に沿って、誘導壁約幅２ｍｍ×高さ１５ｍｍ×長さ○○ｍｍの長さを変えたものを組合せて設置し、幅２０ｍｍの迷路を有することを特徴とする競技遊具であって、誘導壁の幅は、迷路盤本体の底部に接する２ｍｍの面であり、誘導壁の高さは、迷路盤本体の底部より上に立ち上がりが１５ｍｍの高さであり、誘導壁の長さは、迷路盤本体の底部の分割線に平行する部位が長さであり、２０ｍｍ、４０ｍｍと２０ｍｍ間隔で長さを変えた競技遊具。
(57)【要約】      （修正有）【課題】ダンボールケースから、缶飲料を自動販売機に手掴みで、入れていた作業を、連続的に行う作業に変更することができる缶飲料用段ボールケースを提供する。【解決手段】ダンボールケース１の製造時に、予め缶飲料取り出し開口部を作るため、ミシン目２と指の差し込み穴３を開けて製造する。缶飲料取り出し方法は、指の差し込み穴に指をいれて、引っ張りあげ、ミシン目を破り、折り返し線で折り曲げて、缶飲料取り出し開口部を作る。そして開口部を自動販売機の缶投入用トレイに、近づけて缶飲料を投入する。【選択図】図１
0003150733.tif 000002
【実用新案登録請求の範囲】
【請求項１】
ダンボールケースの製造過程で、予め缶飲料の取り出し開口を作る為のミシン目と指の差し込み穴を明けて製造する。
【請求項２】
取り出し開口部の設計は、飲料缶の寸法に合わせて、ミシン目の寸法を決め、一度に多く出ないように設計する。
【請求項３】
ダンボールケースの、指の差し込み穴に指を入れ、ワンタッチで引張り上げて、折り返し線で折り曲げて、缶飲料の取り出し開口部を作る。
【考案の詳細な説明】
【技術分野】
【０００１】本考案は、缶飲料をダンボールケースから、自動販売機への供給の省力化を図るため、ダンボールケースを改良したものである。
【背景技術】
【０００２】従来は、ダンボールケースにミシン目を入れて、取り出し開口を設ける、考案は無かった。
【考案の開示】
【０００３】
【考案が解決しようとする課題】
【０００４】従来は、缶飲料を自動販売機に投入する場合、缶飲料を手で掴み、１本づつ自動販売機のホッパーへ投入していたが、本考案は、ケース全体を持ち上げて返し、連続的に供給を可能にした。
【課題を解決するための手段】
【０００５】ダンボールケースに、缶飲料取り出し開口を作るため、予めケースの製造時にミシン目と指の差し込み穴を、入れて製造する。
【考案の効果】
【０００６】ダンボールケースから缶飲料を自動販売機に供給する時間の省力化を図る。
【図面の簡単な説明】
【０００７】
【図１】ダンボールケースの上部に、ミシン目と指の差し込み穴を入れて製造。
【図２】取り出し開口部を作る。
【図３】自動販売機のホッパーに投入
【符号の説明】
【０００８】１  ダンボールケース
２  ミシン目
３  指の差し込み穴
４  折り返し線
５  缶飲料
６  取り出し開口部
【図１】
0003150733.tif 000003
【図２】
0003150733.tif 000004
【図３】
0003150733.tif 000005
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
缶飲料取出し口のミシン目と開口用差し込み穴を特徴とする、缶飲料用ダンボールケース。
【請求項２】
前記ミミシン目が、缶飲料に合わせて設計されたこと及び更に折り返し線を設けたことを特徴とする、請求項１記載の、缶飲料用ダンボールケース。
【手続補正書】
【提出日】平成21年2月13日(2009.2.13)
【手続補正１】
【補正対象書類名】実用新案登録請求の範囲
【補正対象項目名】請求項２
【補正方法】変更
【補正の内容】
【請求項２】
前記ミシン目が、缶飲料に合わせて設計されたこと及び更に折り返し線を設けたことを特徴とする、請求項１記載の、缶飲料用ダンボールケース。
(57)【要約】      （修正有）【課題】波のうねりを利用した波力発電所を提供する。【解決手段】波のうねりでピストンが下ると吸入バルブが開き波のうねりでピストンが上がると排気バルブから空気が高圧パイプを通り圧力タンク内へ空気がたまった時点で圧力タンクの開閉バルブを開くこによってエヤーモーターの回転を上昇させさらに発電器の回転を上昇させ電気を発生させる事を特徴とする波力発電所。【選択図】図１
0003150730.tif 000002
【実用新案登録請求の範囲】
【請求項１】
波のうねりでピストンが下ると吸入バルブが開き波のうねりでピストンが上がると排気バルブから空気が高圧パイプを通り圧力タンク内へ空気がたまった時点で圧力タンクの開閉バルブを開くこによってエヤーモーターの回転を上昇させさらに発電器の回転を上昇させ電気を発生させる事を特徴とし波のうねりを利用した波力発電所です。
【考案の詳細な説明】
ａ．吸入バルブ、吸入された空気を自動的に開りたり閉たりする物です。
Ｂ．排気バルブ、排気された空気を自動的に開けたり閉じたりする物です。
Ｃ．シリンダー、円筒形のもので中をピストンがしゆうどうする。
Ｄ．圧力メーター、圧縮タンク内の圧力を見る。
Ｅ．浮、波の変動により上たり下たりするものです。
Ｆ．ホイストシリンダー、波力発電所を上たり下たりする物です。
Ｇ．ピストン、円柱形の物でシリダー内を上下する物で空気を吸入したり圧縮したりする物です。
Ｈ．空気の力で回転する物で中に羽がついてる物です
Ｉ．浮取付ボルト、浮を取付ける者です。
Ｊ．圧力タンク、空気をためる物です。
Ｋ．吸入パイプ取付プランジ、吸入パイプを取付る物です。
Ｌ．排気パイプ取付プランジ排気パイプを取付ける物です。
Ｍ．オイルシール、機械内部ベゴミの浸入をふせぐ物です。
0003150730.tif 000003
Ｐ．圧力パイプ、排気バルブから圧力タンクへとつながくる物です
Ｑ．開閉パルブ、圧力クンからエヤモーター間についてる物です。
Ｒ．エアクリーナー、吸入された空気を清掃する物です。
0003150730.tif 000004
Ｔ．発電器、回転することによって電気を発生させる物です。
【図１】
0003150730.tif 000005
【図２】
0003150730.tif 000006
0003150730.tif 000007
0003150730.tif 000008
0003150730.tif 000009
【手続補正書】
【提出日】平成20年8月14日(2008.8.14)
【手続補正１】
【補正対象書類名】明細書
【補正の内容】
0003150730.tif 000010
0003150730.tif 000011
0003150730.tif 000012
0003150730.tif 000013
0003150730.tif 000014
0003150730.tif 000015
0003150730.tif 000016
0003150730.tif 000017
0003150730.tif 000018
【手続補正書】
【提出日】平成20年10月29日(2008.10.29)
【手続補正１】
【補正対象書類名】明細書
【補正対象項目名】全文
【補正方法】変更
【補正の内容】
【考案の詳細な説明】
【考案の詳細な説明】
波の変動を利用し、浮の浮力をいかしピストンを上下させ、ピストンが上がった際、空気が排気バルブを通り高圧パイプを通り圧縮タンク内へ導かれ加圧されます。また、ピストンが下がり始めた時点で吸入バルブが開き空気が吸入されピストンが上昇したら空気が圧縮され圧縮タンク内に空気が溜まります。この波力発電所というものは、コンプレッサーの一種で波のうねりの力で自動的にピストンを上下させ圧縮タンク内に空気を送り溜まった時点で圧縮タンクからエアーモーターの開閉バルブを開くと圧縮空気がエアーモーターに流れ込みエアーモーターが回転ベルト駆動により発電機を回転させ発電機から電気が発生します。
これを特徴とし、これが波のうねりの力で電気を発生させるのが波力発電所です。
【図面の簡単な説明】
【図１】これはピストンが下死点にある状態です。この時点でシリンダー内が不発になるためエアークリナーから吸入バルブを通り空気がシリンダー内に吸入されます。
【図２】浮が、上がりピストンが上死点にある位置です。すると、空気は排気バルブを通り高圧パイプを通り圧縮タンク内へ導かれます。
【図３】ピストンが圧縮上死点にある状態です。解りやすくするため圧縮タンクや発電機エアーモーターは書きませんでした。
【図４】縦から見た断面図を書きました。これもピストンが圧縮上死点にある位置です。
【図５】上から見た波力発電所です。Ｐが高圧パイプです。Ｊが圧縮タンクです。Ｔが発電機です。Ｈがエアーモーターです。Ｑが開閉バルブです。
【符号の説明】
Ａ．吸入バルブ、ピストンがシリンダ内をしゅうどうするさいに吸入された空気を開けたり閉めたりするものです。
Ｂ．排気バルブ、ピストンがシリンダ内でしゅうどうするさいに排気された空気を閉めたり開いたりするものです。
Ｃ．シリンダー円筒形のもので中をピストンがしゅうどうする。
Ｄ．圧力メーター、圧縮された空気圧を見るものです。
Ｅ．浮、波の力で浮くものでピストンと連動され波の力でピストンを上下に動かすものです。
Ｆ．ホイストシリンダー波力発電所を上たり下たりするものです。
Ｇ．ピストン、シリンダー内をしゅうどうするものです。
Ｈ．エアーモーター、空気の力で回るもので中に風車が付いています。
Ｉ．浮取付ボルト、浮を取付けるボルトです。
Ｊ．圧縮タンク、空気を溜めるものです。
Ｋ．吸入パイプ取付ボルト、吸入されたパイプを取付けるものです。
Ｌ．排気パイプ取付ボルト、排気管を取付けるボルトです。
Ｍ．オイルシール、海底内のゴミや砂などの侵入を防ぐものです。
Ｎ．床板、波力発電所を海底に取付けるものです。
Ｏ．旋回灯、夜間波力発電所の位置を示すものです。
Ｐ．高圧パイプ、圧縮された空気が通る管です。
Ｑ．開閉バルブ、圧縮タンクからエアーモーター間に付くもので手動で動かします。
Ｒ．エアークリーナー、空気を除去するものです。
Ｓ．床板取付ボルト、海底に波力発電所を取付けるボルトです。
Ｔ．発電機（交流）、電気を発生するものです。
【手続補正２】
【補正対象書類名】図面
【補正対象項目名】全図
【補正方法】変更
【補正の内容】
【図１】
0003150730.tif 000019
【図２】
0003150730.tif 000020
【図３】
0003150730.tif 000021
【図４】
0003150730.tif 000022
【図５】
0003150730.tif 000023